(57)【要約】      （修正有）【課題】ゲル状物質で形成されたパッドを使用しなくても良好な導電性を得ることができる、筋肉に電気刺激を与える電気刺激用装着具を提供する。【解決手段】電気刺激用装着具は、人体に巻き付けられるベルト２と、パルス電流を出力するコントローラーと、を備え、ベルト２は、基材１１と、導電性シリコーン樹脂で形成され、基材１１の下面１１１に配置された複数の導電性パッド１４と、を備え、複数の導電性パッド１４は、人体の電気刺激の対象部位に水を介して接触し、コントローラーから出力されたパルス電流を対象部位に伝達する。【選択図】図２Ｃ
0003221261.tif 000002
【実用新案登録請求の範囲】
【請求項１】
人体に巻き付けられるベルトと、
パルス電流を出力するコントローラーと、を備え、
前記ベルトは、
基材と、
導電性シリコーン樹脂で形成され、前記基材の第１面に配置された複数の導電性パッドと、を備え、
複数の前記導電性パッドは、前記人体の電気刺激の対象部位に水を介して接触し、前記コントローラーから出力されたパルス電流を前記対象部位に伝達することを特徴とする電気刺激用装着具。
【請求項２】
前記ベルトは、複数の前記導電性パッドにそれぞれ接続された複数の入力端子を前記基材の第２面に備え、
前記コントローラーは、
複数の出力端子と、
複数の前記出力端子が露出した筐体と、を備え、
複数の前記入力端子と複数の前記出力端子とが磁力で付着することで前記コントローラーが前記ベルトに取り付けられることを特徴とする請求項１に記載の電気刺激用装着具。
【請求項３】
前記コントローラーの電源となる電池が前記筐体に収容されていることを特徴とする請求項１に記載の電気刺激用装着具。
【考案の詳細な説明】
【技術分野】
【０００１】
本考案は、筋肉に電気刺激を与える電気刺激用装着具に関する。
【背景技術】
【０００２】
筋肉に電流を流すと筋収縮が起こる現象を利用して筋肉を増強する電気刺激用装着具が知られている。電気刺激用装着具は、皮膚に接触させたパッドを介して電流を流すことで筋肉に電気刺激を与える。パッドは、例えば、導電性と粘着性を有するゲル状物質で形成される（例えば、特許文献１）。
【先行技術文献】
【特許文献】
【０００３】
【特許文献１】特開２０１８−１７１３９６号公報
【考案の概要】
【考案が解決しようとする課題】
【０００４】
しかし、粘着性を有するパッドは、使用を繰り返すうちに表面に埃や皮脂などの汚れが蓄積し、粘着性と導電性が低下する。そのため、定期的にパッドを交換する必要があり、交換の手間や、パッドの購入費用がかさむなどの問題があった。
【０００５】
本考案は、上記事情を考慮し、ゲル状物質で形成されたパッドを使用しなくても良好な導電性を得ることのできる電気刺激用装着具を提供することを目的とする。
【課題を解決するための手段】
【０００６】
上記課題を解決するため、本考案に係る電気刺激用装着具は、人体に巻き付けられるベルトと、パルス電流を出力するコントローラーと、を備え、前記ベルトは、基材と、導電性シリコーン樹脂で形成され、前記基材の第１面に配置された複数の導電性パッドと、を備え、複数の前記導電性パッドは、前記人体の電気刺激の対象部位に水を介して接触し、前記コントローラーから出力されたパルス電流を前記対象部位に伝達することを特徴とする。
【０００７】
本考案に係る電気刺激用装着具において、前記ベルトは、複数の前記導電性パッドにそれぞれ接続された複数の入力端子を前記基材の第２面に備え、前記コントローラーは、複数の出力端子と、複数の前記出力端子が露出した筐体と、を備え、複数の前記入力端子と複数の前記出力端子とが磁力で付着することで前記コントローラーが前記ベルトに取り付けられるように構成されてもよい。
【０００８】
本考案に係る電気刺激用装着具において、前記コントローラーの電源となる電池が前記筐体に収容されるように構成されてもよい。
【考案の効果】
【０００９】
本考案によれば、ゲル状物質で形成されたパッドを使用しなくても良好な導電性を得ることができる。
【図面の簡単な説明】
【００１０】
【図１】本考案の一実施形態に係る電気刺激用装着具を示す平面図である。
【図２Ａ】本考案の一実施形態に係るベルトの下面（第１面）を示す平面図である。
【図２Ｂ】本考案の一実施形態に係るベルトの上面（第２面）を示す平面図である。
【図２Ｃ】図２Ａ、２ＢのＩ−Ｉ断面図である。
【図３Ａ】本考案の一実施形態に係るコントローラーの平面図である。
【図３Ｂ】本考案の一実施形態に係るコントローラーの底面図である。
【図３Ｃ】図３ＡのＢ方向の側面図である。
【図３Ｄ】図３Ａ、３ＢのＩＩ−ＩＩ断面を模式的に示した図である。
【図４】本考案の一実施形態に係るコントローラーの電気的構成を示すブロック図である。
【図５】本考案の一実施形態に係る導電性パッドを水で濡らす様子を示す図である。
【図６Ａ】本考案の一実施形態に係る電気刺激用装着具を手首に装着した様子を示す図である。
【図６Ｂ】本考案の一実施形態に係る電気刺激用装着具を足首に装着した様子を示す図である。
【図７Ａ】本考案の一実施形態の変形例に係るベルトの下面（第１面）を示す平面図である。
【図７Ｂ】本考案の一実施形態の変形例に係るベルトの上面（第２面）を示す平面図である。
【図８Ａ】本考案の一実施形態の変形例に係る電気刺激用装着具を肘に装着した様子を示す図である。
【図８Ｂ】本考案の一実施形態の変形例に係る電気刺激用装着具を膝に装着した様子を示す図である。
【考案を実施するための形態】
【００１１】
以下、図面を参照しつつ本考案の一実施形態に係る電気刺激用装着具１について説明する。図１は、電気刺激用装着具１の平面図である。電気刺激用装着具１は、人体に巻き付けられるベルト２と、パルス電流を出力するコントローラー３と、を備える。
【００１２】
最初に、図２Ａ乃至２Ｃを参照して、ベルト２の構成について説明する。図２Ａは、ベルト２の下面１１１（第１面）を示す平面図である。図２Ｂは、ベルト２の上面１１２（第２面）を示す平面図である。図２Ｃは、図２Ａ、２ＢのＩ−Ｉ断面図である。以下、上下左右の方向は、図２Ａ乃至２Ｃに示すものを基準とする。各図において、Ｌ、Ｒ、Ｕ、Ｌｏは、それぞれ左、右、上、下を表す。
【００１３】
ベルト２は、基材１１と、導電性シリコーン樹脂で形成され、基材１１の下面１１１に配置された複数の導電性パッド１４と、を備え、複数の導電性パッド１４は、人体の電気刺激の対象部位に水を介して接触し、コントローラー３から出力されたパルス電流を対象部位に伝達する。本考案に係る電気刺激の対象部位は、上肢、下肢、胴体など、人体のいかなる部位であってもよいが、本実施形態では、主に上肢又は下肢を電気刺激の対象部位とする。
【００１４】
ベルト２は、伸縮性を有する布で形成された基材１１を備える。基材１１は、左右方向を長手方向とする帯状に形成されている。基材１１の長手方向の左端部には、基材１１の右端部が挿入可能な大きさのベルトループ１２が設けられている。
【００１５】
基材１１の下面１１１には、２つの電極１３が設けられ、２つの電極１３にそれぞれ導電性パッド１４が積層されている。電極１３は、金属で形成された板状の部材である。導電性パッド１４は、導電性シリコーン樹脂で形成された板状の部材である。導電性シリコーン樹脂は、シリコーン樹脂に導電性を付与したものであり、シリコーン樹脂に導電性物質を混入させて製造される。導電性物質としては、カーボンブラック、銀粉末、金メッキされたシリカ、グラファイト、酸化亜鉛などが用いられる。基材１１の縁及び導電性パッド１４の縁には、テープ状の布を縫い付けることで縁取り１５が施されている。
【００１６】
基材１１の上面１１２には、絶縁性を有する台座１７を介して２つの入力端子１６が設けられている。入力端子１６は、マグネットホックを構成する凸形ホックと凹形ホックのいずれかであり、この例では、凸形ホックが用いられている。２つの入力端子１６は、それぞれ電極１３に接続されている。
【００１７】
基材１１の上面１１２の右端部には、面ファスナー１８が設けられている。面ファスナー１８の表面には、フック状の多数の起毛が形成されており、起毛が基材１１の繊維に絡みつくことで基材１１に固定される。
【００１８】
次に、図３Ａ乃至４を参照して、コントローラー３の構成について説明する。図３Ａは、コントローラー３の平面図である。図３Ｂは、コントローラー３の底面図である。図３Ｃは、図３ＡのＢ方向の側面図である。図３Ｄは、図３Ａ、３ＢのＩＩ−ＩＩ断面を模式的に示した図である。図４は、コントローラー３の電気的構成を示すブロック図である。
【００１９】
コントローラー３は、筐体２１、制御部２２、電池２３、駆動部２４、増幅部２５、出力端子２６、電源スイッチ３１、レベル調整スイッチ（＋）３２、レベル調整スイッチ（−）３３、ランプ３４、スピーカー３５及びマイクロＵＳＢ端子３６（Universal Serial Bus）を備える。
【００２０】
筐体２１は、上面及び下面が楕円形に形成され、上面は、中央が上方に盛り上がったドーム状に形成され、下面は平面状に形成されている。筐体２１は、ＰＣ（polycarbonate）とＡＢＳ（acrylonitrile-butadiene-styrene）樹脂を混合したＰＣ／ＡＢＳアロイなどの樹脂で形成されている。
【００２１】
制御部２２は、コントローラー３の各部を制御する集積回路である。電池２３は、充電式電池であり、例えば、リチウムイオン電池である。駆動部２４は、低周波のパルス電流を発生する回路である。増幅部２５は、駆動部２４が発生したパルス電流を増幅して出力端子２６に出力する回路である。出力端子２６は、前述したマグネットホックを構成する凸形ホックと凹形ホックのいずれかであり、この例では、凹形ホックが用いられている。
【００２２】
電源スイッチ３１、レベル調整スイッチ（＋）３２、レベル調整スイッチ（−）３３は、例えばメンブレンスイッチである。レベル調整スイッチ（＋）３２は、パルス電流のレベルを上げる操作に用いられ、レベル調整スイッチ（−）３３は、パルス電流のレベルを下げる操作に用いられる。ランプ３４は、例えばＬＥＤ（Light Emitting Diode）であり、操作に応じて予め定められた態様で発光する。スピーカー３５は、操作に応じて予め定められた態様で操作音を発生する。マイクロＵＳＢ端子３６には、充電の際に充電器（図示省略）に備えられたマイクロＵＳＢ端子が差し込まれる。
【００２３】
次に、図１乃至５Ｂを参照して、電気刺激用装着具１の使用法について説明する。図５は、導電性パッド１４を水で濡らす様子を示す図である。図６Ａは、電気刺激用装着具１を手首Ｗに装着した様子を示す図である。図６Ｂは、電気刺激用装着具１を足首Ａに装着した様子を示す図である。
【００２４】
最初に、導電性パッド１４の表面を水で濡らす。例えば、図５に示されるように、スプレーボトルＳを用いて導電性パッド１４の表面に水Ｈを噴霧する。次に、導電性パッド１４を対象部位に接触させ、図５に示されるＣ方向にベルト２の右端をベルトループ１２に潜らせ、ベルト２の右端を折り返すと面ファスナー１８が基材１１の上面１１２（第２面）に固定される。なお、水Ｈは、水道水でもよく、地下水や食塩水などでもよい。
【００２５】
次に、ベルト２の入力端子１６にコントローラー３の出力端子２６を付着させてベルト２にコントローラー３を取り付け、電源スイッチ３１を押す。すると、スピーカー３５が「ピッ」という操作音を１回発生し、ランプ３４が１回点滅し、パルス電流の出力が開始される。導電性パッド１４と皮膚との間に介在する水Ｈが導電性を有するため、導電性パッド１４から水及び皮膚を介して筋肉にパルス電流が流れる。
【００２６】
レベル調整スイッチ（＋）３２を押すと、パルス電流のレベルが１段階上がる。レベル調整スイッチ（−）３３を押すと、パルス電流のレベルが１段階下がる。パルス電流のレベルが最大又は最小になった場合には、スピーカー３５が操作音を続けて２回発生し、ランプ３４が続けて２回点滅する。
【００２７】
パルス電流の出力中に電源スイッチ３１を押すと、スピーカー３５が操作音を続けて３回発生し、ランプ３４が続けて３回点滅し、パルス電流が停止する。
【００２８】
以上説明した本実施形態に係る電気刺激用装着具１によれば、ベルト２が導電性シリコーン樹脂で形成された複数の導電性パッド１４を備え、複数の導電性パッド１４は、人体の電気刺激の対象部位に水Ｈを介して接触し、コントローラー３から出力されたパルス電流を対象部位に伝達するから、ゲル状物質で形成されたパッドを使用しなくても良好な導電性を得ることができる。本実施形態に係る導電性パッド１４は、ゲル状物質で形成されたパッドのように経時的に導電性が低下することがないから、定期的に交換する必要がなく、交換の手間や、パッドの購入費用がかさむなどの問題が発生しない。
【００２９】
また、本実施形態に係る電気刺激用装着具１によれば、磁力でコントローラー３がベルト２に取り付けられるから、出力端子２６と入力端子１６とをケーブルで接続する煩わしさから解放される。
【００３０】
また、本実施形態に係る電気刺激用装着具１によれば、電池２３が筐体２１に収容されているから、電源とコントローラー３とをケーブルで接続する煩わしさから解放される。
【００３１】
上記実施形態は、以下に示す変形例のように変形されてもよい。
【００３２】
図７Ａは、ベルト４の下面４１１（第１面）を示す平面図である。図７Ｂは、ベルト４の上面４１２（第２面）を示す平面図である。本変形例に係る電気刺激用装着具１は、ベルト４とコントローラー３とを含み、主に肘又は膝を電気刺激の対象部位とする。ベルト４は、伸縮性を有する布で形成された基材４１を備える。基材４１は、左右方向を長手方向とする帯状に形成され、基材４１の長手方向の左側の部分は、左方に突出した第１分岐部５１と第２分岐部５２とに分岐し、基材４１の長手方向の右側の部分は、右方に突出した第３分岐部５３と第４分岐部５４とに分岐している。第２分岐部５２と第３分岐部５３に面ファスナー４８が設けられている。基材４１の中央部には左右方向を短軸方向とする楕円形の穴部４９が形成されている。
【００３３】
基材４１の下面４１１の穴部４９の左右には、２つの電極４３が設けられている。２つの電極４３は、穴部４９の縁に沿う形状に形成されている。２つの電極４３にそれぞれ導電性パッド４４が積層されている。基材４１の縁及び導電性パッド４４の縁には、テープ状の布を縫い付けることで縁取り４５が施されている。
【００３４】
基材４１の上面４１２には、絶縁性を有する台座４７を介して２つの入力端子４６が設けられている。入力端子４６は、マグネットホックを構成する凸形ホックと凹形ホックのいずれかであり、この例では、凸形ホックが用いられている。２つの入力端子４６は、それぞれ電極４３に接続されている。
【００３５】
図８Ａは、電気刺激用装着具１を肘Ｅに装着した様子を示す図である。図８Ｂは、電気刺激用装着具１を膝Ｋに装着した様子を示す図である。導電性パッド４４の表面を水で濡らし、穴部４９を肘頭Ｅ１又は膝頭Ｋ１に合わせ、導電性パッド４４を対象部位に接触させ、第１分岐部５１と第３分岐部５３を面ファスナー４８で固定し、第２分岐部５２と第４分岐部５４を面ファスナー４８で固定する。次に、ベルト４の入力端子４６にコントローラー３の出力端子２６を付着させてベルト４にコントローラー３を取り付ける。コントローラー３の構成と動作は、上記実施形態と共通である。
【００３６】
また、上記実施形態は、以下に示す変形例のように変形されてもよい。上記実施形態では、入力端子１６が接続された電極１３に導電性パッド１４が積層された例を示したが、電極１３を備えずに、導電性パッド１４に入力端子１６が直接、接続されていてもよい。
【００３７】
上記実施形態では、２つの導電性パッド１４がベルト２に設けられた例を示したが、３つ以上の導電性パッド１４がベルト２に設けられてもよい。
【００３８】
上記実施形態では、出力端子２６と入力端子１６を兼ねたマグネットホックでコントローラー３をベルト２に取り付ける例を示したが、コントローラー３が嵌め込まれる台座（図示省略）をベルト２に設け、出力端子２６と入力端子１６が端子としての機能のみを有するように構成されていてもよい。また、出力端子２６と入力端子１６をケーブルで接続するように構成されていてもよい。
【００３９】
上記実施形態では、筐体２１に電池２３が収容されている例を示したが、筐体２１の外部の電池２３からケーブルを介してコントローラー３に電力を供給するように構成されていてもよい。また、電池２３は、乾電池でもよい。また、商用電源から電源アダプターを介してコントローラー３に電力を供給するように構成されていてもよい。
【符号の説明】
【００４０】
１  電気刺激用装着具
２  ベルト
３  コントローラー
１１  基材
１１１  下面（第１面）
１１２  上面（第２面）
１４  導電性パッド
１６  入力端子
２１  筐体
２３  電池
２６出力端子
Ｈ  水
【図１】
0003221261.tif 000003
【図２Ａ】
0003221261.tif 000004
【図２Ｂ】
0003221261.tif 000005
【図２Ｃ】
0003221261.tif 000006
【図３Ａ】
0003221261.tif 000007
【図３Ｂ】
0003221261.tif 000008
【図３Ｃ】
0003221261.tif 000009
【図３Ｄ】
0003221261.tif 000010
【図４】
0003221261.tif 000011
【図５】
0003221261.tif 000012
【図６Ａ】
0003221261.tif 000013
【図６Ｂ】
0003221261.tif 000014
【図７Ａ】
0003221261.tif 000015
【図７Ｂ】
0003221261.tif 000016
【図８Ａ】
0003221261.tif 000017
【図８Ｂ】
0003221261.tif 000018